(57)【要約】【課題】各エリアに関する具体的な状況を利用者に提供する。【解決手段】空調制御システム２０からエリアごとに取得した空調制御情報と、在室状況管理システム３０からエリアごとに取得した在室情報とに基づいて、環境情報生成部１４が、エリアに関する混雑状況と空調制御状況とを含む環境情報を、エリアごとに生成し、環境情報提供部１５から各通信端末４０へ提供する。【選択図】  図１
2017156056.tif 000002
【特許請求の範囲】
【請求項１】
建物に設けられた各エリアに関する空調環境情報を利用者に提供するエリア状況管理装置であって、
前記エリアを空調制御する空調制御システムから、前記エリアでの空調制御に関する空調制御情報を、前記エリアごとに取得する空調制御情報取得部と、
前記エリアの入退室を管理する在室状況管理システムから、前記エリアに在室している利用者の在室状況に関する在室情報を、前記エリアごとに取得する在室情報取得部と、
前記空調制御情報と前記在室情報とに基づいて、前記エリアに関する混雑状況と空調制御状況とを含む環境情報を、前記エリアごとに生成する環境情報生成部と、
前記エリアのそれぞれに関する前記環境情報を通信端末へ提供する環境情報提供部と
を備えることを特徴とするエリア状況管理装置。
【請求項２】
請求項１に記載のエリア状況管理装置において、
前記環境情報生成部は、前記空調制御状況として、前記空調制御情報に含まれる前記エリアの室内温度または設定温度を生成することを特徴とするエリア状況管理装置。
【請求項３】
請求項１または請求項２に記載のエリア状況管理装置において、
前記環境情報生成部は、前記混雑状況として、前記エリアの在室可能人数と前記在室情報に含まれる前記エリアの在室人数との比からなる混雑率を生成することを特徴とするエリア状況管理装置。
【請求項４】
建物に設けられた各エリアに関する空調環境情報を利用者に提供するエリア状況管理装置で用いられるエリア状況管理方法であって、
在室情報取得部が、前記エリアを管理する在室状況管理システムから、前記エリアに在室している利用者の在室状況に関する在室情報を、前記エリアごとに取得する在室情報取得ステップと、
空調制御情報取得部が、前記エリアを空調制御する空調制御システムから、前記エリアで空調制御に関する空調制御情報を、前記エリアごとに取得する空調制御情報取得ステップと、
環境情報生成部が、前記在室情報と前記空調制御情報に基づいて、前記エリアに関する混雑状況と空調制御状況とを含む環境情報を、前記エリアごとに生成する環境情報生成ステップと、
環境情報提供部が、前記エリアのそれぞれに関する前記環境情報を通信端末へ提供する環境情報提供ステップと
を備えることを特徴とするエリア状況管理方法。
【発明の詳細な説明】
【技術分野】
【０００１】
本発明は、建物に設けられた各エリアに関する状況を管理するエリア状況管理技術に関する。
【背景技術】
【０００２】
オフィスや公共の建物では、複数のエリアを不特定多数の利用者が利用する場合がある。例えば、オフィスの場合、居室、会議室、応接室などの区画を、不特定の従業員が必要に応じて一定時間だけ利用している。特に、近年導入されつつあるフリーアドレス制のオフィスでは、従業員が固定的な居室や席を持たず、複数の居室を自由に選択して利用している。また、図書館の閲覧室では、ソファやデスクを配置した異なるインテリアの閲覧スペースを複数設けて、利用者が自由に選択できるよう工夫している建物もある。
【０００３】
このような、不特定の利用者が利用するエリアの空調環境を制御する場合、特定の利用者だけがエリアを利用する場合と比較して、エリアの空調環境に対して利用者が感じる暑い／寒い、快適／不快などの冷温感が変化しやすい傾向がある。このため、エリアの室温などの検出データに基づく自動制御により、利用者が満足する空調環境を提供することは難しい。
【０００４】
従来、このような不特定の利用者が利用するエリアでより良い空調環境を提供することを目的として、エリアを利用する利用者から、利用しているエリアにおける暑い／寒い、快適／不快などの冷温感に関する申告を収集し、これら申告内容の集計結果に基づいて、空調制御システムによりこれらエリアを空調制御する技術が提案されている（例えば、特許文献１−２など参照）。
【０００５】
この技術では、通信端末から通知された利用者の冷温感を、サーバにおいてエリアごとに集計し、その集計結果をエリアの空調制御に反映させるようにしたものである。これにより、複数の利用者が同一エリアを利用している場合でも、各利用者から申告された冷温感を集計することにより、より多くの利用者が満足するような空調環境を、空調制御の設定値として選択することができる。
【先行技術文献】
【特許文献】
【０００６】
【特許文献１】特開平０５−１４９６０１号公報
【特許文献２】特開２０１０−０２５５４７号公報
【発明の概要】
【発明が解決しようとする課題】
【０００７】
このような従来技術では、利用者から申告された冷温感をエリアごとに集計して、その平均値や最頻値などを空調制御の設定値として選択しているため、申請された冷温感にあまり違いがない場合には、同一エリアを利用する多くの利用者が満足する空調環境を提供することができる。
【０００８】
しかしながら、実際には、各利用者において、活動状況、好み、体調などの違いによる個人差があるため、同一エリアを利用している利用者であっても、申告された冷温感にはある程度の違いが生じる。このため、これら個人差の全てに対応することは難しく、いずれかの利用者が自分の要望とは異なる空調環境を受け入れざるを得ない結果となるという問題点があった。また、空調制御とは見合わない別個の設定システムと、それによる相反する申請によって、エリア内の空調環境が乱れ、結果として無駄なエネルギーを消費することも考えられる。
【０００９】
本発明はこのような課題を解決するためのものであり、各エリアに関する具体的な状況を利用者に提供できるエリア状況管理技術を提供することを目的としている。
【課題を解決するための手段】
【００１０】
このような目的を達成するために、本発明にかかるエリア状況管理装置は、建物に設けられた各エリアに関する空調環境情報を利用者に提供するエリア状況管理装置であって、前記エリアを空調制御する空調制御システムから、前記エリアでの空調制御に関する空調制御情報を、前記エリアごとに取得する空調制御情報取得部と、前記エリアの入退室を管理する在室状況管理システムから、前記エリアに在室している利用者の在室状況に関する在室情報を、前記エリアごとに取得する在室情報取得部と、前記空調制御情報と前記在室情報とに基づいて、前記エリアに関する混雑状況と空調制御状況とを含む環境情報を、前記エリアごとに生成する環境情報生成部と、前記エリアのそれぞれに関する前記環境情報を通信端末へ提供する環境情報提供部とを備えている。
【００１１】
本発明にかかる上記エリア状況管理装置の一構成例は、前記環境情報生成部が、前記空調制御状況として、前記空調制御情報に含まれる前記エリアの室内温度または設定温度を生成するようにしたものである。
【００１２】
本発明にかかる上記エリア状況管理装置の一構成例は、前記環境情報生成部が、前記混雑状況として、前記エリアの在室可能人数と前記在室情報に含まれる前記エリアの在室人数との比からなる混雑率を生成するようにしたものである。
【００１３】
本発明にかかるエリア状況管理方法は、建物に設けられた各エリアに関する空調環境情報を利用者に提供するエリア状況管理装置で用いられるエリア状況管理方法であって、在室情報取得部が、前記エリアを管理する在室状況管理システムから、前記エリアに在室している利用者の在室状況に関する在室情報を、前記エリアごとに取得する在室情報取得ステップと、空調制御情報取得部が、前記エリアを空調制御する空調制御システムから、前記エリアで空調制御に関する空調制御情報を、前記エリアごとに取得する空調制御情報取得ステップと、環境情報生成部が、前記在室情報と前記空調制御情報に基づいて、前記エリアに関する混雑状況と空調制御状況とを含む環境情報を、前記エリアごとに生成する環境情報生成ステップと、環境情報提供部が、前記エリアのそれぞれに関する前記環境情報を通信端末へ提供する環境情報提供ステップとを備えている。
【発明の効果】
【００１４】
本発明によれば、各エリア内における具体的な状況として、混雑状況と空調制御状況とが環境情報により利用者に提供されるため、利用者は、現在、各エリアにどの程度の人が存在しているのか、各エリアの室内温度や設定温度はどの程度なのかを、具体的に確認することができる。したがって、空調環境に対する自己の要望に応じたエリアを、それぞれの利用者が選択することが可能となる。このため、フリーアドレス制のオフィスなど、複数のエリアを不特定多数の利用者が利用する建物であっても、利用者から申告された冷温感を集計することなく、利用者が満足する空調環境を提供することが可能となる。
【図面の簡単な説明】
【００１５】
【図１】エリア状況管理装置の構成を示すブロック図である。
【図２】エリア情報の構成例である。
【図３】環境情報の構成例である。
【図４】環境情報提供処理を示すフローチャートである。
【図５】環境情報の提供例である。
【発明を実施するための形態】
【００１６】
次に、本発明の一実施の形態について図面を参照して説明する。
［エリア状況管理装置］
まず、図１を参照して、本実施の形態にかかるエリア状況管理装置１０について説明する。図１は、エリア状況管理装置の構成を示すブロック図である。
【００１７】
エリア状況管理装置１０は、全体としてサーバ装置やパソコンなどの情報処理装置からなり、建物に設けられた各エリアに関する状況を管理する装置である。本発明は、エリア状況管理装置１０において、空調制御システム２０から取得した各エリアの空調制御情報と、在室状況管理システム３０から取得した各エリアの在室情報とに基づいて、各エリアに関する混雑状況と空調制御状況とを含む環境情報を、通信ネットワークＮＷを介して接続されている利用者の通信端末４０へ提供するようにしたものである。
【００１８】
空調制御システム２０は、空調コントローラ２１により、各エリア内に設けられている温度計Ｔで計測した室内温度に基づいて、空調機２２を制御することにより、各エリア内の空調制御を行う、一般的な空調制御システムである。
【００１９】
在室状況管理システム３０は、各エリアの出入口に設けられている認証機器ＣＲを入退室管理コントローラ３１により制御することにより、各エリアにおける利用者の入退室を管理する、一般的な入退室管理システムである。
なお、在室状況管理システム３０については、入退室管理システムのほか、サーモパイルアレイセンサで検出したエリア内の温度分布に基づき、在室する利用者の数や位置を検出する在室者検出システムを用いてもよい。
【００２０】
エリア状況管理装置１０には、主な機能部として、在室情報取得部１２、空調制御情報取得部１１、エリア情報記憶部１３、環境情報生成部１４、および環境情報提供部１５が設けられている。
【００２１】
空調制御情報取得部１１は、空調制御システム２０の空調コントローラ２１とデータ通信を行うことにより、エリアでの空調制御に関する空調制御情報を、エリアごとに取得する機能を有している。空調制御情報としては、エリアの室内温度、室内湿度、設定温度、風量などの制御情報がある。図１では、１つの空調制御システム２０で全エリアの空調制御を行う例が示されているが、複数の空調制御システム２０で全エリアの空調制御を分担して行う場合には、それぞれの空調制御システム２０から各エリアの空調制御情報を取得すればよい。
【００２２】
在室情報取得部１２は、在室状況管理システム３０から、エリアに在室している利用者の在室状況に関する在室情報を、エリアごとに取得する機能を有している。在室状況としては、エリアに入室した入室人数、エリアから退室した退室人数、これら入室人数と退室人数との差分からなる在室人数がある。図１では、１つの在室状況管理システム３０で全エリアの入退室管理を行う例が示されているが、複数の在室状況管理システム３０で全エリアの入退室管理を分担して行う場合には、それぞれの在室状況管理システム３０から各エリアの在室情報を取得すればよい。
【００２３】
エリア情報記憶部１３は、ハードディスクや半導体メモリなどの記憶装置からなり、各エリアに関するエリア情報を記憶する機能を有している。
図２は、エリア情報の構成例である。ここでは、エリアを識別するためのエリアＩＤごとに、エリア名称と在室可能人数とが組として登録されている。在室可能人数は、エリアに在室できる最大の人数である。
【００２４】
環境情報生成部１４は、空調制御情報取得部１１で取得した空調制御情報と、在室情報取得部１２で取得した在室情報と、エリア情報記憶部１３から読み出したエリア情報とに基づいて、エリアに関する混雑状況と空調制御状況とを含む環境情報を、エリアごとに生成する機能を有している。
空調制御状況は、エリアでの空調制御の内容を示す指標であり、例えば、空調制御情報に含まれるエリアの室内温度または設定温度が用いられる。
混雑状況は、エリア内の混雑の程度を示す指標であり、例えば、エリアの在室可能人数と在室情報に含まれるエリアの在室人数との比からなる混雑度が用いられる。
【００２５】
図３は、環境情報の構成例である。ここでは、エリアを識別するためのエリアＩＤごとに、エリア名称、在室可能人数、在室人数、混雑度、室内温度、および設定温度が組として登録されている。
【００２６】
環境情報提供部１５は、環境情報生成部１４で生成した、エリアのそれぞれに関する環境情報を、通信ネットワークＮＷを介して通信端末４０へ提供する機能を有している。環境情報の提供方法としては、ＷｅｂページやＳＮＳを利用して通信端末４０から環境情報を閲覧できるようにしてもよく、電子メールで通信端末４０へ通知するようにしてもよい。
【００２７】
［本実施の形態の動作］
次に、図４を参照して、本実施の形態にかかるエリア状況管理装置１０の動作について説明する。図４は、環境情報提供処理を示すフローチャートである。
エリア状況管理装置１０は、エリアの在室人数の変化が現れる程度の時間長で予め設定された一定周期で、図４の環境情報提供処理を実行する。
【００２８】
まず、空調制御情報取得部１１は、空調制御システム２０の空調コントローラ２１とデータ通信を行うことにより、エリアでの空調制御に関する空調制御情報を、エリアごとに取得する（ステップ１００）。
また、在室情報取得部１２は、在室状況管理システム３０から、エリアに在室している利用者の在室状況に関する在室情報を、エリアごとに取得する（ステップ１０１）。
【００２９】
続いて、空調制御情報取得部１１で取得した空調制御情報と、在室情報取得部１２で取得した在室情報と、エリア情報記憶部１３から読み出したエリア情報とに基づいて、エリアに関する混雑状況と空調制御状況とを含む環境情報を、エリアごとに生成する（ステップ１０２）。
【００３０】
図５は、環境情報の提供例である。ここでは、エリアが設けられているフロアの平面図をベースとして、各エリアが混雑度に応じた色や図柄で塗りつぶしされている。また、詳細情報として、混雑度および室内温度が文字で表示されている。
提供する環境情報には、前述した図３の環境情報のすべてを含んでいる必要はなく、利用者が把握しやすいようにアレンジすればよい。
【００３１】
この後、環境情報提供部１５は、環境情報生成部１４で生成した、エリアのそれぞれに関する環境情報を、通信ネットワークＮＷを介して通信端末４０へ提供し（ステップ１０３）、一連の環境情報提供処理を終了する。
通信端末４０としては、利用者が利用するスマートホンやパーソナルコンピュータのほか、各エリアや案内場所に設置された情報提供用の通信端末であってもよい。
【００３２】
［本実施の形態の効果］
このように、本実施の形態は、空調制御システム２０からエリアごとに取得した空調制御情報と、在室状況管理システム３０からエリアごとに取得した在室情報とに基づいて、環境情報生成部１４が、エリアに関する混雑状況と空調制御状況とを含む環境情報を、エリアごとに生成し、環境情報提供部１５から各通信端末４０へ提供するようにしたものである。
【００３３】
これにより、各エリア内における具体的な状況として、混雑状況と空調制御状況とが環境情報により利用者に提供されるため、利用者は、現在、各エリアにどの程度の人が存在しているのか、各エリアの室内温度や設定温度はどの程度なのかを、具体的に確認することができる。したがって、空調環境に対する自己の要望に応じたエリアを、それぞれの利用者が選択することが可能となる。
【００３４】
例えば、外出先からオフィスに戻る途中で、利用者のスマートホンにより環境情報を確認すれば、所望のエリアに直行することができる。また、現在在室するエリアから、より良い空調環境のエリアへ移動することもでき、不快な冷温感を感じつつエリアに留まる必要もない。
このため、フリーアドレス制のオフィスなど、複数のエリアを不特定多数の利用者が利用する建物であっても、利用者から申告された冷温感を集計することなく、利用者が満足する空調環境を提供することが可能となる。
【００３５】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。また、各実施形態については、矛盾しない範囲で任意に組み合わせて実施することができる。
【符号の説明】
【００３６】
１０…エリア状況管理装置、１１…空調制御情報取得部、１２…在室情報取得部、１３…エリア情報記憶部、１４…環境情報生成部、１５…環境情報提供部、２０…空調制御システム、２１…空調コントローラ、２２…空調機、３０…在室状況管理システム、３１…入退室管理コントローラ、４０…通信端末、ＮＷ…通信ネットワーク、Ｔ…温度計、ＣＲ…認証機器。
【図１】
2017156056.tif 000003
【図２】
2017156056.tif 000004
【図３】
2017156056.tif 000005
【図４】
2017156056.tif 000006
【図５】
2017156056.tif 000007